(57)【要約】【課題】取り外した植え込みユニットを別の枠体に間隔をおいて並べて育成を続けることにより、間引いたものの有効利用を図るとともに栽培効率のよい栽培トレーを用いた野菜栽培方法及び装置を提供する。【解決手段】  栽培トレー１は、複数の植え込み凹部２を列状に設けた植え込みユニット３と、植え込みユニット３を一面状に並べて保持する枠体４とで構成されている。植え込みユニット３は、枠体４に対して固定保持及び取り外しできるように装着されている。植え込みユニット３を枠体４に一面状に並べて固定保持した栽培トレー１に均等に播種して幼生状態まで生育させた後、複数の植え込みユニット３の一部を取り外して栽培トレー１の栽培面に間隔をあけて生育を続ける。取り外したうえこみユニット３を他の枠体に間隔をあけて固定保持して栽培トレー１を構成して生育を続ける。【選択図】図１
2008011729.tif 000002
【特許請求の範囲】
【請求項１】
栽培トレーを用いて野菜を生育させる野菜栽培方法であって、
栽培に用いる栽培トレーは、複数の植え込み凹部を列状に設けた植え込みユニットと、この植え込みユニットを一面状に並べて保持する枠体とで構成されていて、多数の植え込みユニットは、枠体に対して固定保持及び取り外しできるように装着されており、
多数の植え込みユニットを枠体に一面状に並べて固定保持した栽培トレーに均等に播種して幼生状態まで生育させた後、
枠体に一面状に並べて固定保持されている複数の植え込みユニットの一部を取り外して栽培トレーの栽培面に間隔をあけて生育を続けるとともに、
取り外した植え込みユニットを他の枠体に間隔をあけて固定保持して栽培トレーを構成して生育を続ける
ことを特徴とする栽培トレーを用いた野菜栽培方法。
【請求項２】
複数の植え込みユニットからなる栽培トレーには同一品種を、そして各栽培トレーごとに異なる品種を均等に播種し、幼生状態まで生育させた後、
各栽培トレーの枠体に一面状に並べて固定保持されている複数の植え込みユニットの一部及び全てを取り外して、新たな枠体の栽培面に異なる品種の植え込みユニットを間隔をあけて固定保持し、栽培トレーを構成して生育を続ける
ことを特徴とする栽培トレーを用いた野菜栽培方法。
【請求項３】
請求項１及び請求項２の栽培トレーを用いて野菜を生育させる野菜栽培方法に用いる栽培トレーであって、
複数の植え込み凹部を列状に設けた植え込みユニットとこの植え込みユニットを一面状に並べて保持する枠体とで構成されており、
前記植え込みユニットは、その両端に枠体に対する挟み込み部を有しており、
枠体と植え込みユニットは、枠体に植え込みユニットを固定保持するための係止構造を備えているとともに取り外しできる
ことを特徴とする栽培トレーを用いた野菜の栽培に用いる野菜栽培装置。
【請求項４】
枠体から取り外した複数の植え込みユニットを間隔をおいて並べて保持する別の枠体を備えていることを特徴とする請求項３記載の栽培トレーを用いた野菜の栽培に用いる野菜栽培装置。
【請求項５】
枠体は、それに並べて保持する植え込みユニットの植え込み凹部の底面が設置面と接するか若しくは設置面より浮かせるための脚部を備えていることを特徴とする請求項３又は４記載の栽培トレーを用いた野菜の栽培に用いる野菜栽培装置。
【請求項６】
枠体は、植え込みユニットを保持した状態又は枠体のみで積み重ね保持できる構成であることを特徴とする請求項３、４又は５記載の栽培トレーを用いた野菜の栽培に用いる野菜栽培装置。
【発明の詳細な説明】
【技術分野】
【０００１】
本発明は、葉野菜やハーブなどを栽培トレーを用いて栽培する野菜栽培方法及び装置に関するものである。
【背景技術】
【０００２】
葉野菜やハーブ、すなわちターサイ、ミズナ、オークリーレタス、ガーデンレタス、ホウレンソウ、コマツナ、ルッコラ、グリーンマスタード、レッドビート、レッドマスタード、デトロイト、ケールなどの幼葉はベビーリーフと総称されるが、ベビーリーフの栽培には、多数の植え込み凹部を設けた栽培トレーを用いて栽培する方法がとられることが多い。
【０００３】
ベビーリーフなどの栽培に育苗ポットを用いる方法は、特開２０００−１３６２２８公報に、搬送可能な栽培ユニットを多数用いる方法は、特開平９−４７１７０号公報に、育苗室に多数の可動枠を配列する移動式作物栽培方法は、特開平６−２７６８６９号公報に、個々に分離可能な鉢体を多数連接集合させた育苗移植栽培方法は、特開平７−３０８１２５号公報に、水耕栽培において栽培間隔を調整できるようにした装置は、特開２０００−１０６７７５公報にそれぞれ記載されている。
【０００４】
【特許文献１】特開２０００−１３６２２８公報
【特許文献２】特開平９−４７１７０号公報
【特許文献３】特開平６−２７６８６９号公報
【特許文献４】特開平７−３０８１２５号公報
【特許文献５】特開２０００−１０６７７５公報
【発明の開示】
【発明が解決しようとする課題】
【０００５】
栽培トレーを用いたベビーリーフの栽培においては、トレーの栽培面に均等に播種して発芽生育させるが、生育が進むにしたがって最適な栽培間隔を保つ必要があるため、適時に間引きをしなければならないが、そのための作業は手間がかかるうえ非効率的でもあり、また間引いたものはそのほとんどが廃棄処分されて有効利用が図られていないのが実情である。
【０００６】
従来、栽培トレーを用いた野菜栽培方法において、生育の途中での間引き作業を簡素化する手段としては、例えば特開２０００−１３６２２８公報において紹介されているように、栽培ポットを１個ずつまたは集団で抜き取る方法が知られているが、そのための装置は構成が複雑であって繰り返し使用するうえで難点がある。
【０００７】
そこで本発明は、多数の植え込みユニットを枠体に一面状に並べて固定保持した栽培トレーに均等に播種して幼生状態まで生育させた後、枠体に一面状に並べて固定保持されている複数の植え込みユニットの一部を取り外して栽培トレーの栽培面に間隔をあけて生育を続けるとともに、取り外した栽培トレーを他の枠体に間隔をあけて固定保持して栽培トレーを構成して生育を続けることにより、栽培トレーに均一に播種してそのまま幼生状態まで生育させ、その後は間引きに対応する植え込みユニットを枠体から取り外すだけで間引き作業を一挙に済ませることができるうえ、取り外した植え込みユニットを別の枠体に間隔をおいて並べて育成を続けることにより、間引いたものの有効利用を図るとともに栽培効率を大きく向上させることができる栽培トレーを用いた野菜栽培方法及びそれに用いる装置を提供することを目的とするものである。
【０００８】
さらに、各栽培トレーに同一の品種を均等に播種し、そしてそれぞれの栽培トレーごとに品種の異なる野菜を幼生状態まで育成させ、その後それぞれの品種の異なった栽培トレーから植え込みユニットのどれか一つ又は複数どうしを選択して、新たな枠体か、幼生状態まで育成した枠体に、品種の異なった植え込みユニットを混在させて育成させることによって、収穫後にベビーリーフ野菜として複数の品種を混ぜ合わせる手間を省くほか、混合作業による品質の低下を防止すると共に、品種の異なる野菜を混在させることによる通気性の向上や日射条件の改善等が見込める効果と、異なる品種の配列による病害虫の防除にも役立つ効果を期待できる、良好な野菜栽培方法を提供することを目的とするものである。
【課題を解決するための手段】
【０００９】
上記目的を達成するための請求項１に係る発明は、栽培トレーを用いた野菜栽培方法は、栽培トレーを用いて野菜を生育させる野菜栽培方法であって、栽培に用いる栽培トレーは、複数の植え込み凹部を列状に設けた植え込みユニットと、この植え込みユニットを一面状に並べて保持する枠体とで構成されていて、多数の植え込みユニットは、枠体に対して固定保持及び取り外しできるように装着されており、多数の植え込みユニットを枠体に一面状に並べて固定保持した栽培トレーに均等に播種して幼生状態まで生育させた後、枠体に一面状に並べて固定保持されている複数の植え込みユニットの一部を取り外して栽培トレーの栽培面に間隔をあけて生育を続けるとともに、取り外した植え込みユニットを他の枠体に間隔をあけて固定保持して栽培トレーを構成して生育を続けることを特徴とする栽培トレーを用いた野菜栽培方法である。
【００１０】
請求項２に係わる発明は、栽培トレーを用いた野菜栽培方法は、複数の植え込みユニットからなる栽培トレーには同一品種を、そして各栽培トレーごとに異なる品種を均等に播種し、幼生状態まで生育させた後、各栽培トレーの枠体に一面状に並べて固定保持されている複数の植え込みユニットの一部及び全てを取り外して、新たな枠体の栽培面に異なる品種の植え込みユニットを間隔をあけて固定保持し、栽培トレーを構成して生育を続けることを特徴とする栽培トレーを用いた野菜栽培方法である。
【００１１】
請求項３に係る発明は、請求項１及び請求項２の栽培トレーを用いて野菜を生育させる野菜栽培方法に用いる栽培トレーであって、複数の植え込み凹部を列状に設けた植え込みユニットとこの植え込みユニットを一面状に並べて保持する枠体とで構成されており、前記植え込みユニットは、その両端に枠体に対する挟み込み部を有しており、枠体と植え込みユニットは、枠体に植え込みユニットを固定保持するための係止構造を備えているとともに取り外しできることを特徴とする栽培トレーを用いた野菜の栽培に用いる野菜栽培装置である。
【００１２】
請求項４に係る発明は、枠体から取り外した複数の植え込みユニットを間隔をおいて並べて保持する別の枠体を備えていることを特徴とする請求項３記載の栽培トレーを用いた野菜の栽培に用いる野菜栽培装置である。
【００１３】
請求項５に係る発明は、請求項３又は４記載の構成において、枠体は、それに並べて保持する植え込みユニットの植え込み凹部の底面が設置面と接するか、若しくは設置面より浮かせるための脚部を備えていることを特徴とするものである。
【００１４】
請求項６に係る発明は、請求項３、４又は５記載の構成において、枠体は、植え込みユニットを保持した状態又は枠体のみで積み重ね保持できる構成であることを特徴とするものである。
【発明の効果】
【００１５】
本発明によれば、多数の植え込みユニットを枠体に一面状に並べて固定保持した栽培トレーに均等に播種して幼生状態まで生育させた後、枠体に一面状に並べて固定保持されている複数の植え込みユニットの一部を取り外して栽培トレーの栽培面に間隔をあけて生育を続けるとともに、取り外した栽培トレーを他の枠体に間隔をあけて固定保持して栽培トレーを構成して生育を続けることにより、栽培トレーに均一に播種してそのまま幼生状態まで生育させ、その後は間引きに対応する植え込みユニットを枠体から取り外すだけで間引き作業を一挙に済ませることができるうえ、取り外した植え込みユニットを別の枠体に間隔をおいて並べて育成を続けることにより、間引いたものの有効利用を図るとともに栽培効率を大きく向上させることができる効果が得られる。
【００１６】
さらに、各栽培トレーに同一の品種を均等に播種し、そしてそれぞれの栽培トレーごとに品種の異なる野菜を幼生状態まで育成させ、その後それぞれの品種の異なった栽培トレーから植え込みユニットのどれか一つ又は複数どうしを選択して、新たな枠体か、幼生状態まで育成した枠体に、品種の異なった植え込みユニットを混在させて配置固定し、育成させることによって、収穫後にベビーリーフ野菜として混合して出荷する収穫の手間を省くほか、品種の異なる野菜を混在させることによる、通気性の向上や日射条件の改善等が見込める効果と、病害虫に弱い品種と強い品種を混在して配置することによって、病害虫の予防をしながらの育成を行うことが出来るほか、ハーブ類などのように、病害虫の忌避効果を有する植物を栽培トレーの植え込みユニットに配置することによって、さらに良好な野菜栽培を可能とすることが出来るものである。
【発明を実施するための最良の形態】
【００１７】
図１は本発明に係る栽培トレーを用いた野菜の栽培方法の実施に用いる栽培トレーであって植え込みユニットをはずした状態及び一面に取り付けた状態の斜視図、図２は間引き作業状態を示す斜視図、図３は植え込みユニットを枠体に固定保持する手順を示す一部の断面図、図４は枠体の他例を示す斜視図、図５は栽培トレーの運搬状態を示す側面図、図６は野菜栽培方法のフローチャート、図７はそれぞれの品種の異なった栽培トレーから、枠体に植え込みユニットを配置し、品種の混在した栽培トレーを新たに構成した状態をしめす斜視図である。
【００１８】
図１ないし図３に示すように、栽培トレー１は、複数の植え込み凹部２を列状に設けた植え込みユニット３と、この植え込みユニット３を一面状に並べて保持する枠体４とで構成されており、多数の植え込みユニット３は、枠体４に対して固定保持及び取り外しできるように装着されている。植え込みユニット３は、平坦面板５に植え込み凹部２を下方向に多数形成したものであって、平坦面５の両端部には、枠体４に対して挟み込むラグ６、６を有しており、７、７はその操作摘み部である。枠体４は、その上面に植え込みユニット３の間隔毎に突起８が設けられており、植え込みユニット３の平坦面板５には前記突起８に対応する位置決め穴９を設けてある。
【００１９】
多数の植え込みユニット３は、枠体４に一面状に並べて固定保持するが、その際には植え込みユニット３を枠体４の上から嵌め込み、操作摘み部７、７を摘んでラグ６、６を開き、その弾力により枠体４に係止するとともに、植え込みユニット３の位置決め穴９を枠体４の突起８に嵌め込んで固定保持させる。
【００２０】
栽培トレー１に播種する際には、枠体４に植え込みユニット３を一面状に並べて固定保持した状態で均等に播種し、播種後は発芽室１６で発芽させた後、成育中の植物に対する通気と日当たりを良好にするために、枠体４に一面状に並べて固定保持されている複数の植え込みユニット３を１つ（又は２つ）おきに取り外し、栽培トレー１の栽培面に間隔をあけて生育を続けるとともに、取り外した植え込みユニット３を他の枠体４に間隔をあけて固定保持して栽培トレー１を構成し、間引いた分についても生育を続けることとする。
【００２１】
図４及び図５に示すように、枠体４には植え込みユニット３を固定保持した状態で植え込み凹部２を設置面より浮かす高さの脚部１０を備えている。この脚部１０の足１１には位置決め穴１２を設け、枠体４の上部には前記位置決め穴１２に対応する突起１３を設けて、複数段安定状態に積み重ねできるように構成するとよい。脚部１０により植え込み凹部２を設置面から浮かすことにより、植え込み凹部２の底面にある排水孔が塞がれることがないので、植え込まれている野菜の根腐れ等を防止することができる。複数段安定状態に積み重ねた栽培トレー１群は、図５に示すように運搬車１４に載せて容易に運搬することができる。
【００２２】
本発明に係る栽培トレー１を用いた野菜栽培方法を図６に示す。図６に示すように、栽培トレー１に植え込みユニット３を一面状に並べて固定保持してピートモスなどの床土を植え込み凹部２に充填し（１〜２）、栽培トレー１に均等に播種する。播種した栽培トレー１は棚台車１５に積み重ね（４）、発芽室１６で発芽させる（５）。発芽後は発芽室１６から棚台車１５を運び出し（６）、成育中の植物に対する通気と日当たりを良好にするために植え込みユニット３を取り外して別の枠体４に間隔をおいて固定保持し（間引きにあたる）、もとの栽培トレー１とともに栽培室１８内の灌水ベンチ１７に配列して（７〜９）、栽培室１８でともに生育させた後（１０）、栽培室１８から搬出して栽培した野菜を収穫する（１１〜１２）。
なお、播種した栽培トレー１を発芽室に搬入搬出するため多段に差込載置する棚台車１５は、図５に示すように播種した栽培トレーを直接積重ねて運搬車１４を用いることができる。
【００２３】
図７は、一つの栽培トレー１を構成する複数の植え込みユニット３に同一の品種を均一に播種し、幼生状態まで育成したものであるが、それぞれの栽培トレー１同士では品種が異なったものであって、新たな枠体４にそれぞれの栽培トレー１から異なる品種の植え込みユニット３を、間隔をおいて固定保持させるように構成している。
【００２４】
新たな枠体４に異なる品種の植え込みユニット３を配置する例として、低位置で広く開帳する葉物野菜の隣には、茎長や葉長の長く起立して育成する種類を交互に配置することによって、植え込みユニット３の間隔をあまり必要としなくても、十分な通気性や日射状態を良好に育成できるようにすることも可能である。
【００２５】
また、ベビーリーフサラダとして、野菜を混在パッキングする場合など、商品としてパッキングしたい野菜を栽培トレー１の植え込みユニット３に配置するだけで、収穫後の野菜の混合作業を行うこと無くパッキングを可能とするので、混合作業による野菜の傷みが発生しないばかりか、混合作業が不要となるので、大幅な生産コストの削減が可能である。
【００２６】
さらに、病害虫に弱い野菜等を栽培する場合に、病害虫を寄せ付けない忌避植物（ハーブなど）を栽培トレー１の植え込みユニット３のどこかに混在させるだけで、病害虫を寄せ付けないで、農薬の使用を低減する良好な野菜の栽培を可能とすることが出来るものである。
【産業上の利用可能性】
【００２７】
本発明に係るトレーを用いた野菜栽培方法は、特にベビーリーフの単種栽培はもとより混種栽培にも適しているが、広く種々の野菜や花卉の幼苗の生産などにも好適である。よって、本発明に係る野菜栽培方法は、広範囲にわたる利用の可能性が期待できるものである。
【図面の簡単な説明】
【００２８】
【図１】本発明に係る栽培トレーを用いた野菜の栽培方法の実施に用いる栽培トレーであって植え込みユニットをはずした状態及び一面に取り付けた状態の斜視図である。
【図２】間引き作業状態を示す斜視図である。
【図３】植え込みユニットを枠体に固定保持する手順を示す一部の断面図である。
【図４】枠体の他例を示す斜視図である。
【図５】栽培トレーの運搬状態を示す側面図である。
【図６】本発明に係る栽培トレーを用いた野菜栽培方法を示すフローチャートである。
【図７】本発明における品種の異なる植え込みユニットよって栽培トレーを構成する状態を示した斜視図である。
【符号の説明】
【００２９】
１  栽培トレー
２  植え込み凹部
３  植え込みユニット
４  枠体
５  平坦面板
６、６  ラグ
７、７  操作摘み部
８  突起
９  位置決め穴
１０  脚部
１１  足
１２  位置決め穴
１３  突起
１４  運搬車
１５  棚台車
１６  発芽室
１７  灌水ベンチ
１８  栽培室
【図１】
2008011729.tif 000003
【図２】
2008011729.tif 000004
【図３】
2008011729.tif 000005
【図４】
2008011729.tif 000006
【図５】
2008011729.tif 000007
【図６】
2008011729.tif 000008
【図７】
2008011729.tif 000009